(57)【特許請求の範囲】
【請求項１】
被検眼の眼底を検査する眼底検査装置において、左眼、右眼を検出する左右眼検知手段と、測定済みの被検眼の測定部位が左眼か右眼かを含む測定部位情報を記憶し表示する測定部位表示手段と、該測定部位表示手段に記憶した測定部位の中から次回測定する測定部位を選択する測定部位選択手段と、該測定部位選択手段により選択した部位と前記左右眼検知手段による検出結果の一致又は不一致を検者に伝達する伝達手段とを有することを特徴とする眼底検査装置。
【請求項２】
前記伝達手段は次回測定する測定部位の測定部位情報と前記左右眼検知手段による検出結果が不一致の場合に測定を禁止するようにした請求項１に記載の眼科測定装置。
【請求項３】
前記伝達手段は次回測定する測定部位の測定部位情報と前記左右眼検知手段による検出結果が不一致の場合に測定結果の保存を禁止するようにした請求項１に記載の眼科測定装置。
【請求項４】
前記伝達手段は次回測定する測定部位の測定部位情報と前記左右眼検知手段による検出結果が不一致の場合に検者に警告するようにした請求項１に記載の眼科測定装置。
【請求項５】
前記伝達手段は次回測定する測定部位の測定部位情報と前記左右眼検知手段による検出結果が不一致の場合に、前記左右眼検知手段により検出した被検眼側のみを前記測定部位選択手段により選択可能とした請求項１に記載の眼科測定装置。
【請求項６】
被検眼の眼底を検査する眼底検査装置において、左眼、右眼を検出する左右眼検知手段と、次回測定する測定部位を入力する測定部位入力手段と、該測定部位入力手段に入力した測定部位が左眼か右眼かを含む測定部位情報を記憶し表示する測定部位表示手段と、前記測定部位入力手段により入力した部位と前記左右眼検知手段による検出結果の一致又は不一致を検者に伝達する伝達手段とを有することを特徴とする眼底検査装置。
【請求項７】
前記伝達手段は次回測定する測定部位の測定部位情報と前記左右眼検知手段による検出結果が不一致の場合に測定を禁止するようにした請求項６に記載の眼科測定装置。
【請求項８】
前記伝達手段は次回測定する測定部位の測定部位情報と前記左右眼検知手段による検出結果が不一致の場合に測定結果の保存を禁止するようにした請求項６に記載の眼科測定装置。
【請求項９】
前記伝達手段は次回測定する測定部位の測定部位情報と前記左右眼検知手段による検出結果が不一致の場合に検者に警告するようにした請求項６に記載の眼科測定装置。
【発明の詳細な説明】
【０００１】
【発明の属する技術分野】
本発明は、眼科医院等において眼底血管の測定を行う眼底血流計等の眼底検査装置に関するものである。
【０００２】
【従来の技術】
従来、被検眼の眼底血管の血流速度を測定する一般の眼底血流計としては、測定用レーザー光を被検眼の眼底に照射し、眼底上の所定領域をこの光束で走査してドップラ信号光を受光し、この信号を解析して血流速度を二次元上にマッピング表示したり、二次元表示した画像から任意にカーソルで指定して、局所領域の血流速度等を数字で表示したりする装置が知られている。
【０００３】
【発明が解決しようとする課題】
しかしながら上述の従来例においては、被検者の左右眼の眼底上において複数個所の測定が行われるのが一般的であるが、次回の測定を行う測定部位の選択又は入力を行うのは、一般的にパーソナルコンピュータ上で操作するために、眼底血流計の左右眼情報と次回測定を行う測定部位の左右眼情報とが一致しているか否かを確認する手段がなく、検者が左右眼を取り違えて測定してしまうという問題がある。
【０００４】
本発明の目的は、上述の問題点を解消し、測定の際に右眼と左眼を取り違えて測定を行う失敗を防止した眼底検査装置を提供することにある。
【０００５】
【課題を解決するための手段】
上記目的を達成するための本発明に係る眼底検査装置は、左眼、右眼を検出する左右眼検知手段と、測定済みの被検眼の測定部位が左眼か右眼かを含む測定部位情報を記憶し表示する測定部位表示手段と、該測定部位表示手段に記憶した測定部位の中から次回測定する測定部位を選択する測定部位選択手段と、該測定部位選択手段により選択した部位と前記左右眼検知手段による検出結果の一致又は不一致を検者に伝達する伝達手段とを有することを特徴とする。
【０００６】
また、本発明に係る眼底検査装置は、被検眼の眼底を検査する眼底検査装置において、左眼、右眼を検出する左右眼検知手段と、次回測定する測定部位を入力する測定部位入力手段と、該測定部位入力手段に入力した測定部位が左眼か右眼かを含む測定部位情報を記憶し表示する測定部位表示手段と、前記測定部位入力手段により入力した部位と前記左右眼検知手段による検出結果の一致又は不一致を検者に伝達する伝達手段とを有することを特徴とする。
【０００７】
【発明の実施の形態】
本発明を図示の実施例に基づいて詳細に説明する。
図１は実施例の眼底検査装置の構成図を示し、眼底血流計１と制御装置２とから構成されている。眼底血流計１においては、固定台３の被検者側に被検者の顔を保持するための顎受け台４が固設され、固定台３上には可動ステージ５が載置されている。可動ステージ５上には測定部６が設けられており、可動ステージ５には左右検知手段としてマイクロスイッチ７が取り付けられており、可動ステージ５が右側に移動したときにマイクロスイッチ７が入るようにするために、固定台３上に突起部８が設けられている。
【０００８】
また、制御装置２においてはパーソナルコンピュータ９が設けられ、このパーソナルコンピュータ９の出力はモニタ１０に接続され、パーソナルコンピュータ９には、キーボード１１と測定部位選択手段１２の出力がそれぞれ接続されている。
【０００９】
検者は眼底血流計１により、被検者の左右眼のそれぞれについて、眼底上の血管の複数個所において血流速度の変化を測定する。先ず、左眼を測定する場合に、検者はパーソナルコンピュータ９にキーボード１１を使って例えば測定部位L1と入力する。次に、顎を顎受け台４に載せ、眼底血流計１を左眼に合わせるために、可動ステージ５を右側に移動する。マイクロスイッチ７は可動ステージ５が左右何れにあるかを検出し、眼底血流計１の固定台３の突起部８に当接したときにマイクロスイッチ７が入り、この検知信号がパーソナルコンピュータ９に入力される。
【００１０】
パーソナルコンピュータ９はこの検知信号と先に取り込まれた測定部位L1の入力信号をモニタ１０に出力し表示する。図２はモニタ１０上の測定部位ウィンドウの表示例を示し、モニタ１０上には可動ステージ５のマイクロスイッチ７が検出した左右検知信号により、左眼側と右眼側の内、アクティブになっている左眼側が実線表示されている。一方、アクティブになっていない右眼側は点線で表示されている。また、測定部位の欄には、検者が入力した測定部位L1が表示され、左眼が選択された状態になっている。これにより、検者はマイクロスイッチ７による被検眼の左右と、検者自身が入力した測定部位の左右とが一致しているか否かを知ることができる。
【００１１】
検者はこれを確認した上で、眼底血流計１により被検眼の眼底の所望の血管にアライメント及びピントを合わせ測定を実施する。測定信号は眼底血流計１からパーソナルコンピュータ９に出力され、パーソナルコンピュータ９で解析され、その結果は図３に示すように、モニタ１０上の測定データウィンドウ上に測定部位L1と共に血流速度値が表示される。
【００１２】
このように、検者が入力した情報と共に、眼底血流計１で検出した左右眼情報を表示することにより、得られた測定データが反対側の眼のデータとして誤記憶されることを防止することができる。
【００１３】
同様の手順により、左眼について眼底上の３個所の部位L1〜L3について測定を行い、その後に右眼に対しても眼底上の３個所の部位R1〜R3について測定を行う。次に、１回目の同じ測定部位L1に対して２回目の測定を行う場合は、検者は先ず、左眼の測定のために可動ステージ５を右に移動する。一方、モニタ１０上には図４に示すように、既に測定された測定部位が加わった測定部位ウィンドウが表示されている。この中から１回目の測定で既に登録してある測定部位L1を測定部位選択手段１２により選択すると、その出力信号がパーソナルコンピュータ９に入力され、パーソナルコンピュータ９は１回目の測定のときと同様に、モニタ１０に選択した測定部位L1に例えば黒丸印の表示を行う。
【００１４】
このようにして、検者はこれから測定を行う眼と、選択した測定部位の左右が一致していることを確認することができ、誤りのない測定を行うことができる。
【００１５】
１回目の測定と同様に、眼底血流計１により被検眼の眼底の所望の血管にアライメント及びピントを合わせ、測定を実施する。測定信号は眼底血流計１からパーソナルコンピュータ９に出力され、パーソナルコンピュータ９で解析され、その結果は図５に示すように、モニタ１０上の測定データウィンドウに測定部位L1と共に血流速度値が表示される。
【００１６】
検者が誤って、測定部位L1を選択したつもりで測定部位R1を選択してしまうと、図６に示すように点線表示されている測定部位R1に黒丸印が表示され、眼底血流計１が測定する眼L1と選択した測定部位R1が不一致であることを、検者は測定前にモニタ１０上で知ることができる。
【００１７】
更に、測定間違いの可能性を減らすために、検者の選択した測定部位と眼底血流計１の位置が異なっている場合には、キーボード１１に内蔵の音声出力機能を使って音を出したり、モニタ１０上の一部を点滅するなどの警告を行い、検者に注意を促すようにしてもよいし、測定が行われてしまった場合には、測定部位と測定データとの整合性をとるために、データの保存ができないようにしてもよい。
【００１８】
また、キーボード１１から眼底血流計１に測定禁止の信号を出力するようにして、選択された測定部位の左右眼と可動ステージ５の位置が異なる場合には、測定自体を禁止したり、測定部位選択手段１２により選択された測定部位を無効にして、マイクロスイッチ７で検出した眼の方のみを選択することができるように構成すれば、被検者に余計な負担をさせることなく効果的に測定を行うことができる。
【００１９】
【発明の効果】
以上説明したように本発明に係る眼底検査装置は、既に測定された測定部位の中から、次回測定するために選択した測定部位と、左右眼検知手段による検出結果との整合性を検者に知らせることにより、測定の際に右眼、左眼の間違いによる測定の失敗がなくなり、被検者に余計な測定光を照射することがない。
【００２０】
また、本発明に係る眼底検査装置は、入力した次回測定する測定部位と、左右眼検知手段の検出結果との整合性を検者に知らせることにより、測定の際に左右眼の間違いによる測定の失敗がなくなり、被検者に余計な測定光を照射することがない。
【図面の簡単な説明】
【図１】実施例の眼底血流計の構成図である。
【図２】測定部位ウィンドウの説明図である。
【図３】測定データウィンドウの説明図である。
【図４】測定部位ウィンドウの説明図である。
【図５】測定データウィンドウの説明図である。
【図６】測定部位ウィンドウの説明図である。
【符号の説明】
１  眼底血流計
２  制御装置
３  固定台
４  顎受け台
５  可動ステージ
６  測定部
７  マイクロスイッチ
８  突起部
９  パーソナルコンピュータ
１０  モニタ
１１  キーボード
１２  測定部位選択手段
【図１】
0003658154.tif 000002
【図２】
0003658154.tif 000003
【図３】
0003658154.tif 000004
【図４】
0003658154.tif 000005
【図５】
0003658154.tif 000006
【図６】
0003658154.tif 000007